(57)【要約】【課題】部品点数の増加を招かずに、排水ポンプの停止時のドレン水の逆流に対応可能な排水ポンプを提供する。【解決手段】上方に開口する貫通穴１１ａを備え、この貫通穴を貫通する駆動軸５によって回転する回転羽根を内蔵するポンプハウジング２と、このポンプハウジングの上方に位置し、駆動軸を駆動するモータ６とを備えた排水ポンプ１において、ポンプハウジングの吸水管３ｃの最下部と、モータの最下部との間の距離を排水ポンプの揚程に対応して設定された所定の距離以上とした。水切り板を設けなくとも、ドレン水が逆流した際のモータへの飛散を防止できる。モータとポンプハウジングとの間に仕切板９を介在させることもできるため、モータの周辺が高湿度となることを回避することができ、モータの設置環境をさらに向上させることができる。所定の距離を６５ｍｍとして揚程が１２００ｍｍ程度の排水ポンプにおけるドレン水の逆流に対応することができる。【選択図】図１
2008190469.tif 000002
【特許請求の範囲】
【請求項１】
上方に開口する貫通穴を備え、該貫通穴を貫通する駆動軸によって回転する回転羽根を内蔵するポンプハウジングと、該ポンプハウジングの上方に位置し、前記駆動軸を駆動するモータと、前記ポンプハウジングから下方に延設された吸水管とを備えた排水ポンプにおいて、
前記ポンプハウジングの前記吸水管の最下部と、前記モータの最下部との間の距離を、該排水ポンプの揚程に対応して設定された所定の距離以上としたことを特徴とする排水ポンプ。
【請求項２】
前記所定の距離を６５ｍｍとしたことを特徴とする請求項１に記載の排水ポンプ。
【請求項３】
前記ポンプハウジングを介して前記モータを支持する複数の支柱を有する支持部材を備え、該支持部材は、前記ポンプハウジングと一体に形成されることを特徴とする請求項１又は２に記載の排水ポンプ。
【請求項４】
前記支持部材の各支柱は、表面に凹状に形成した肉盗み部又は内部に空間状に形成した肉盗み部、あるいはこれらの両方を備えることを特徴とする請求項３に記載の排水ポンプ。
【請求項５】
前記支持部材は、前記肉盗み部を形成することよって生じた強度低下を補うための補強リブを備えることを特徴とする請求項４に記載の排水ポンプ。
【請求項６】
前記ポンプハウジングは、ガラス繊維入り合成樹脂で成形されることを特徴とする請求項１乃至５のいずれかに記載の排水ポンプ。
【発明の詳細な説明】
【技術分野】
【０００１】
本発明は、排水ポンプに関し、特に、空調室内機に組み込まれ、冷房時や除湿時に蒸発器において発生するドレン水を室外へ排水するために用いられるポンプに関する。
【背景技術】
【０００２】
従来、セパレート型の空調機は、図５に示すように、圧縮機３４と凝縮器３５とを備える室外機３２と、膨張弁３６と蒸発器３７とを内蔵した室内機３３とで構成され、気体の冷媒を圧縮機３４で圧縮し、凝縮器３５で冷却して液体とし、膨張弁３６でこの液体の圧力を下げ、蒸発器３７で気化させて気化熱を奪うことにより室内を冷房する。尚、図中の矢印は冷媒の流れる方向を示す。
【０００３】
ここで、上記空調機３１の室内機３３では、冷房運転時に蒸発器３７に空気中の水分が凝縮して付着し、蒸発器３７の下方に設けられたドレンパン３８内に滴下する。そこで、ドレンパン３８内に溜まったドレン水を室外に排水するため、排水ポンプ３９が用いられる。この排水ポンプ３９を用い、ドレン管を立上り管４０で一旦立ち上げた後、傾斜配管４１を介してドレン水を室外に導いていた。
【０００４】
上記従来の排水ポンプ３９においては、図６に示すように、排水ポンプ３９の停止時に立上り管４０等に貯まったドレン水が排水ポンプ３９に矢視方向に逆流し、排水ポンプ３９のハウジング４１の上方に設けた蓋４２に穿設した貫通穴４３より吹き出す場合がある。また、水位が高い場合には、揚水運転時に排水ポンプ３９の均圧穴からドレン水があふれ出る場合もある。そのような場合には、吹き出したドレン水Ｗがモータ４４に飛散し、モータ４４の作動不良を起こす原因となる。
【０００５】
そこで、図７に示すように、例えば、特許文献１に記載の排水ポンプ５９では、貫通穴５３の上方において、駆動軸５５に円板状の水切り板５６を設け、吹き出したドレン水がモータ５４に飛散することを防止している。
【特許文献１】特開２０００−２４０５８１号公報
【発明の開示】
【発明が解決しようとする課題】
【０００６】
しかし、上記特許文献１に記載の排水ポンプ５９は、水切り板５６を備えるため、ドレン水がモータ５４に飛散することを防止することができるものの、従来よりも部品点数が増加し、製造コストの上昇に繋がるという問題があった。
【０００７】
そこで、本発明は、上記従来の排水ポンプにおける問題点に鑑みてなされたものであって、部品点数の増加を招くことなく、排水ポンプの停止時におけるドレン水の逆流等によるドレン水のモータ側への飛散に対応することのできる排水ポンプを提供することを目的とする。
【課題を解決するための手段】
【０００８】
上記目的を達成するため、本発明は、上方に開口する貫通穴を備え、該貫通穴を貫通する駆動軸によって回転する回転羽根を内蔵するポンプハウジングと、該ポンプハウジングの上方に位置し、前記駆動軸を駆動するモータと、前記ポンプハウジングから下方に延設された吸水管とを備えた排水ポンプにおいて、前記ポンプハウジングの前記吸水管の最下部と、前記モータの最下部との間の距離を、該排水ポンプの揚程に対応して設定された所定の距離以上としたことを特徴とする。
【０００９】
そして、本発明によれば、排水ポンプのポンプハウジングの吸水管の最下部と、モータの最下部との間の距離を、該排水ポンプの揚程に対応して設定された所定の距離以上としたため、この排水ポンプの停止時においてドレン水が逆流した場合でも、ドレン水がモータまで飛散することがなく、従来のような水切り板を設ける必要がない。そのため、部品点数の増加を招くことがなく、製造コストを低く抑えることができる。また、これによって、ポンプハウジングの蓋の上面と、モータの最下部との間の距離を長くすることができるため、モータとポンプハウジングとの間に仕切板を介在させることができ、モータの周辺が高湿度となることを回避することができ、モータの設置環境をさらに向上させることができる。
【００１０】
前記排水ポンプにおいて、前記所定の距離を６５ｍｍとすることができ、揚程が１２００ｍｍ程度の排水ポンプにおけるドレン水の逆流に対応することができる。
【００１１】
前記排水ポンプにおいて、前記ポンプハウジングを介して前記モータを支持する複数の支柱を有する支持部材を設け、該支持部材を、前記ポンプハウジングと一体に形成することができる。これによって、より容易に排水ポンプを組み立てることができ、製造コストをさらに低減することができる。
【００１２】
前記排水ポンプにおいて、前記支持部材の各支柱は、表面に凹状に形成した肉盗み部又は内部に空間状に形成した肉盗み部、あるいはこれらの両方を備えることができる。肉盗み部を設けることにより、支持部材を成形したときの収縮による反りを防止することができる。
【００１３】
また、前記排水ポンプにおいて、前記支持部材は、前記肉盗み部を形成することよって生じた強度低下を補うための補強リブを備えることができる。
【００１４】
さらに、前記排水ポンプにおいて、前記ポンプハウジングを、ガラス繊維入り合成樹脂で成形することができ、コンパクトで強度の大きいポンプハウジングとすることができ、ひいては小型の排水ポンプを提供することができる。
【発明の効果】
【００１５】
以上のように、本発明によれば、部品点数が増加することなく、排水ポンプの停止時におけるドレン水の逆流に対応することが可能な排水ポンプを提供することができる。
【発明を実施するための最良の形態】
【００１６】
次に、本発明の実施の形態について図面を参照しながら説明する。
【００１７】
図１は、本発明にかかる排水ポンプの一実施の形態を示し、この排水ポンプ１は、大別して、ハウジング３と、ハウジング３の上部の開口部を覆う蓋１１を兼ねた支持部材４とで構成されるポンプハウジング２と、蓋１１に穿設した貫通穴を貫通するとともに、ハウジング３の内部に収容された図示しない回転羽根を回転させる駆動軸５と、ポンプハウジング２の上方に位置し、駆動軸５を駆動するモータ６等で構成される。
【００１８】
ハウジング３は、回転羽根を内蔵し、先端にドレン水の吸込口３ａを有する吸込管３ｃと、吐出管３ｂとを有する。ハウジング３の上方には、ハウジング３の上部開口部を覆うとともに、モータ６を支持するための支持部材４が装着される。
【００１９】
支持部材４は、図２に示すように、円板状の蓋１１と、蓋１１に立設された支柱１２、１３とが一体に形成され、全体がガラス繊維で強化されたＰＢＴ（ポリブチレンテレフタレート）などの合成樹脂で一体成型される。
【００２０】
蓋１１は、図１に示したハウジング３の上部開口部を覆うことにより、ハウジング３とで回転羽根を内蔵したポンプ室を形成する。蓋１１の中央部には、前記回転羽根を回転させる駆動軸５（図１参照）が貫通する貫通穴１１ａが穿設される。
【００２１】
支柱１２、１３は、上方に位置するモータ６を支持するために備えられる。支柱１２、１３は、各々側面に凹状の肉盗み部１２ａ、１３ａを有する。この肉盗み部１２ａ、１３ａは、支持部材４を樹脂成形したときに樹脂が収縮し、支柱１２、１３が反ることを防止するために形成される。
【００２２】
また、上記と同様の目的で、図２（ｃ）及び図３（ａ）に示すように、支柱１２、１３には、各々内部に円柱空間状に形成した肉盗み部１２ｂ〜１２ｄが穿設される。尚、肉盗み部１２ｂ、１２ｄは、上方に位置するモータ６の位置決め穴を兼ねるとともに、肉盗み部１２ｃは、モータ６を支柱１２に雄ねじ８を介して固定するための雌ねじを兼ねている。
【００２３】
支持部材４は、さらに、支柱１２、１３に上記肉盗み部１２ａ〜１２ｄ、１３ａ〜１３ｄを形成することよって生じた強度低下を補うための補強リブ１４〜１７を備える。補強リブ１４〜１７の各々は、平面又は曲面形状の薄板として形成され、蓋１１の表面と支柱１２又は支柱１３の表面とを連結している。
【００２４】
尚、支柱１２の側面に凹状の肉盗み部１２ａを形成せずに、図３（ｂ）に示すように、内部に円柱空間状の肉盗み部１２ｅ〜１２ｇを形成することもでき、図３（ｃ）に示すように、内部に長手方向全体にわたって、円柱空間状に肉盗み部１２ｈ〜１２ｊを連続して形成することもできる。この点については、支柱１３についても同様である。
【００２５】
上記構成を有する排水ポンプ１において、図１（ａ）に示すように、ハウジング３の吸水管３ｃの最下部と、モータ６の最下部との間の距離Ｄを６５ｍｍ以上に設定する。この場合、蓋１１の上面と、モータ６の最下部との間の距離Ｄ’は略々３０ｍｍ以上となる。これは、図５に示した揚程Ｈが１２００ｍｍ程度の排水ポンプでは、ドレン水がモータに飛散することを防止するのに十分な距離であるからである。尚、より揚程Ｈの高い排水ポンプに本発明を適用する場合には、上記距離Ｄをより長く設定する必要がある。
【００２６】
上述のように、本発明では、ハウジング３の吸水管３ｃの最下部と、モータ６の最下部との間の距離Ｄを十分に確保したため、従来用いられていた水切り板５６（図７参照）を装着しなくとも、排水ポンプ１の停止時等においてドレン水がモータに飛散することを防止することができる。
【００２７】
また、排水ポンプ１の設置場所には排水されずに残ったドレン水が存在するため、高湿度となるが、図１に示すように、上記距離Ｄを長く設定したため、蓋１１の上面と、モータ６の最下部との間の距離Ｄ’も長くなり、図４に示すように、ポンプハウジング２とモータ６との間に仕切板９を介在させ、モータ６の周辺が高湿度となることを回避することができ、モータ６の設置環境をさらに向上させることもできる。さらに、本実施の形態では、モータ６の最下部をドレンパン３８の最上部よりも上方に位置させることにより、ドレンパン３８が満水となってもモータ６のコイルに水が接触することがない。
【図面の簡単な説明】
【００２８】
【図１】本発明にかかる排水ポンプの一実施の形態を示す図であって、（ａ）は正面図、（ｂ）は側面図である。
【図２】図１の排水ポンプの支持部材を示す図であって、（ａ）は正面図、（ｂ）は側面図、（ｃ）は上面図、（ｄ）は底面図である。
【図３】（ａ）は、図２（ｃ）のＡ−Ａ線断面図であって、（ｂ）及び（ｃ）は同Ａ−Ａ線断面の他の例を示す。
【図４】本発明にかかる排水ポンプの設置例を示す概略図である。
【図５】従来のセパレート型空調機の全体構成を示す概略図である。
【図６】従来の排水ポンプの一例を示す図であって、（ａ）は正面図、（ｂ）は側面図である。
【図７】従来の排水ポンプの一例を示す図であって、（ａ）は正面図、（ｂ）は側面図である。
【符号の説明】
【００２９】
１  排水ポンプ
２  ポンプハウジング
３  ハウジング
３ａ  吸込口
３ｂ  吐出管
３ｃ  吸水管
４  支持部材
５  駆動軸
６  モータ
８  雄ねじ
９  仕切板
１１  蓋
１１ａ  貫通穴
１２  支柱
１２ａ〜１２ｊ  肉盗み部
１３  支柱
１３ａ〜１３ｄ  肉盗み部
１４〜１７  補強リブ
【図１】
2008190469.tif 000003
【図２】
2008190469.tif 000004
【図３】
2008190469.tif 000005
【図４】
2008190469.tif 000006
【図５】
2008190469.tif 000007
【図６】
2008190469.tif 000008
【図７】
2008190469.tif 000009